(57)【要約】【課題】無線通信装置間で、パイロット信号の挿入間隔を可変にするための取り決めを行い、通信のスループットを向上させる。【解決手段】パイロット信号挿入間隔取得部３は、アンテナ９及び受信ＲＦ部１を経由して供給される信号、又は、上位レイヤから供給される情報から、所定の無線通信装置との伝送路において最適なパイロット信号（既知参照信号）の挿入間隔を取得する。そして、このパイロット信号の挿入間隔に基づいて、送信データにパイロット信号を挿入して送信したり、パイロット信号の挿入間隔を送信データとして、他の無線通信装置に通知したりすることによって、伝送路におけるパイロット信号の挿入間隔を最適なものとすることが可能となる。なお、伝送応答の時間変動量から、最適となるパイロット信号の挿入間隔を計算することによって、より適切なパイロット信号の挿入間隔を取得することが可能となる。【選択図】      図１
2004165830.tif 000002
【特許請求の範囲】
【請求項１】
送信側無線通信装置及び受信側無線通信装置により構成され、前記送信側無線通信装置から前記受信側無線通信装置に伝送路を介して送信されるデータ内に挿入される既知参照信号の挿入間隔が可変である無線通信システムであって、
前記送信側無線通信装置が、前記既知参照信号の挿入間隔を決定することが可能な既知参照信号挿入間隔決定手段を有し、
前記送信側無線通信装置が、前記既知参照信号挿入間隔決定手段によって決定された前記既知参照信号の挿入間隔に基づいて、前記データに前記既知参照信号を挿入し、前記受信側無線通信装置に送信するよう構成されている無線通信システム。
【請求項２】
送信側無線通信装置及び受信側無線通信装置により構成され、前記送信側無線通信装置から前記受信側無線通信装置に伝送路を介して送信されるデータ内に挿入される既知参照信号の挿入間隔が可変である無線通信システムであって、
前記送信側無線通信装置が、前記既知参照信号の挿入間隔を決定することが可能な既知参照信号挿入間隔決定手段と、前記データの送信前に前記受信側無線通信装置に対して、前記データの送信要求情報と共に前記既知参照信号の挿入間隔の決定が可能である旨を通知する通知手段とを有し、
前記送信側無線通信装置が、前記受信側無線通信装置から前記送信要求情報の応答である受信準備完了情報を受信した場合、前記既知参照信号の挿入間隔を決定し、決定された前記既知参照信号の挿入間隔に基づいて前記既知参照信号が挿入された前記データを前記受信側無線通信装置に送信するよう構成されている無線通信システム。
【請求項３】
前記送信側無線通信装置が、前記受信側無線通信装置から受信した前記受信準備完了情報に係る情報信号を参照して、前記データ送信における最適な前記既知参照信号の挿入間隔を決定するよう構成されている請求項２に記載の無線通信システム。
【請求項４】
送信側無線通信装置及び受信側無線通信装置により構成され、前記送信側無線通信装置から前記受信側無線通信装置に伝送路を介して送信されるデータ内に挿入される既知参照信号の挿入間隔が可変である無線通信システムであって、
前記送信側無線通信装置が、前記既知参照信号の挿入間隔を決定することが可能な既知参照信号挿入間隔決定手段を有し、
前記送信側無線通信装置が、前記データの送信前に前記受信側無線通信装置に対して、前記データとは異なるデータを送信し、前記受信側無線通信装置から前記異なるデータの受信が完了したことを示す受信確認情報を受信した場合、前記送信側無線通信装置が前記既知参照信号の挿入間隔を決定し、決定された前記既知参照信号の挿入間隔に基づいて前記既知参照信号が挿入された前記データを前記受信側無線通信装置に送信するよう構成されている無線通信システム。
【請求項５】
前記送信側無線通信装置が、前記受信側無線通信装置から受信した前記受信確認情報に係る情報信号を参照して、前記受信側無線通信装置への前記データを送信における最適な前記既知参照信号の挿入間隔を決定するよう構成されている請求項４に記載の無線通信システム。
【請求項６】
送信側無線通信装置及び受信側無線通信装置により構成され、前記送信側無線通信装置から前記受信側無線通信装置に伝送路を介して送信されるデータ内に挿入される既知参照信号の挿入間隔が可変である無線通信システムであって、
前記送信側無線通信装置が、前記既知参照信号の挿入間隔を決定することが可能な既知参照信号挿入間隔決定手段を有し、
前記送信側無線通信装置が、前記受信側無線通信装置から任意の無線通信装置に対して送信された情報信号を受信し、前記受信した情報信号を参照して前記受信側無線通信装置への前記データを送信における最適な前記既知参照信号の挿入間隔を決定するよう構成されている無線通信システム。
【請求項７】
送信側無線通信装置及び受信側無線通信装置により構成され、前記送信側無線通信装置から前記受信側無線通信装置に伝送路を介して送信されるデータ内に挿入される既知参照信号の挿入間隔が可変である無線通信システムであって、
前記受信側無線通信装置が、前記既知参照信号の挿入間隔を決定することが可能な既知参照信号挿入間隔決定手段と、前記データの送信前に、前記既知参照信号挿入間隔決定手段によって決定された前記既知参照信号の挿入間隔を前記送信側無線通信装置に対して通知する通知手段とを有する無線通信システム。
【請求項８】
送信側無線通信装置及び受信側無線通信装置により構成され、前記送信側無線通信装置から前記受信側無線通信装置に伝送路を介して送信されるデータ内に挿入される既知参照信号の挿入間隔が可変である無線通信システムであって、
前記送信側無線通信装置が、前記データの送信前に前記受信側無線通信装置に対して、前記データの送信要求情報と共に前記既知参照信号の挿入間隔を要求する情報を送信する送信手段を有し、
前記受信側無線通信装置が、前記既知参照信号の挿入間隔を決定することが可能な既知参照信号挿入間隔決定手段と、前記データの送信前に、前記既知参照信号挿入間隔決定手段によって決定された前記既知参照信号の挿入間隔を前記送信側無線通信装置に対して通知する通知手段とを有し、
前記送信側無線通信装置が、前記データの送信前に前記受信側無線通信装置に対して、前記データの送信要求情報と共に前記既知参照信号の挿入間隔を要求する情報を送信し、前記受信側無線通信装置が、前記既知参照信号の挿入間隔を決定し、決定された前記既知参照信号の挿入間隔を前記送信側無線通信装置に対して通知し、前記送信側無線通信装置が、前記受信側無線通信装置から通知された前記既知参照信号の挿入間隔に基づいて、前記データに前記既知参照信号を挿入して前記受信側無線通信装置に送信するよう構成されている無線通信システム。
【請求項９】
前記受信側無線通信装置が、前記送信側無線通信装置から受信した前記データの送信要求情報及び前記既知参照信号の挿入間隔を要求する情報に係る情報信号を参照して、前記データ送信における最適な前記既知参照信号の挿入間隔を決定するよう構成されている請求項８に記載の無線通信システム。
【請求項１０】
送信側無線通信装置及び受信側無線通信装置により構成され、前記送信側無線通信装置から前記受信側無線通信装置に伝送路を介して送信されるデータ内に挿入される既知参照信号の挿入間隔が可変である無線通信システムであって、
前記受信側無線通信装置が、前記既知参照信号の挿入間隔を決定することが可能な既知参照信号挿入間隔決定手段を有し、
前記送信側無線通信装置が、前記データの送信前に前記受信側無線通信装置に対して、前記データとは異なるデータを送信した場合、前記受信側無線通信装置が前記既知参照信号の挿入間隔を決定し、決定された前記既知参照信号の挿入間隔を前記送信側無線通信装置に対して通知し、前記送信側無線通信装置が、前記受信側無線通信装置から通知された前記既知参照信号の挿入間隔に基づいて、前記データに前記既知参照信号を挿入して前記受信側無線通信装置に送信するよう構成されている無線通信システム。
【請求項１１】
前記受信側無線通信装置が、前記送信側無線通信装置から受信した前記異なるデータに係る情報信号を参照して、前記受信側無線通信装置への前記データを送信における最適な前記既知参照信号の挿入間隔を決定するよう構成されている請求項１０に記載の無線通信システム。
【請求項１２】
送信側無線通信装置及び受信側無線通信装置により構成され、前記送信側無線通信装置から前記受信側無線通信装置に伝送路を介して送信されるデータ内に挿入される既知参照信号の挿入間隔が可変である無線通信システムであって、
前記受信側無線通信装置が、前記既知参照信号の挿入間隔を決定することが可能な既知参照信号挿入間隔決定手段を有し、
前記受信側無線通信装置が、前記送信側無線通信装置から任意の無線通信装置に対して送信された情報信号を受信し、前記受信した情報信号を参照して前記既知参照信号の挿入間隔を決定し、決定された前記既知参照信号の挿入間隔を前記送信側無線通信装置に対して通知し、前記送信側無線通信装置が、前記受信側無線通信装置から通知された前記既知参照信号の挿入間隔に基づいて、前記データに前記既知参照信号を挿入して前記受信側無線通信装置に送信するよう構成されている無線通信システム。
【請求項１３】
送信側無線通信装置及び受信側無線通信装置により構成され、前記送信側無線通信装置と前記受信側無線通信装置との間の通信で伝送されるデータ内に挿入される既知参照信号の挿入間隔が可変である無線通信システムであって、
前記送信側無線通信装置及び前記受信側無線通信装置が前記既知参照信号の挿入間隔を取得することが可能な既知参照信号挿入間隔取得手段を有し、
前記送信側無線通信装置により取得された前記既知参照信号の挿入間隔、及び、前記受信側無線通信装置により取得された前記既知参照信号の挿入間隔を用いて、前記データ内に挿入される前記既知参照信号の挿入間隔が決定されるよう構成されている無線通信システム。
【請求項１４】
複数の無線通信装置と前記複数の無線通信装置と通信可能な通信管理装置により構成され、前記複数の無線通信装置のそれぞれと前記通信管理装置との間の通信で伝送されるデータ内に挿入される既知参照信号の挿入間隔が可変である無線通信システムであって、
前記通信管理装置が、前記複数の無線通信装置のそれぞれとの通信における最適な前記既知参照信号の挿入間隔を決定することが可能な既知参照信号挿入間隔決定手段と、前記複数の無線通信装置のそれぞれとの伝送路において最適となる前記既知参照信号の挿入間隔を格納することが可能な格納手段とを有する無線通信システム。
【請求項１５】
複数の無線通信装置と前記複数の無線通信装置と通信可能な通信管理装置により構成され、前記複数の無線通信装置のそれぞれと前記通信管理装置との間の通信で伝送されるデータ内に挿入される既知参照信号の挿入間隔が可変である無線通信システムであって、
前記複数の無線通信装置のそれぞれが、前記通信管理装置との通信における最適な前記既知参照信号の挿入間隔を決定することが可能な既知参照信号挿入間隔決定手段と、前記通信管理装置との伝送路において最適となる前記既知参照信号の挿入間隔を格納することが可能な格納手段とを有する無線通信システム。
【請求項１６】
前記複数の無線通信装置のそれぞれが、前記通信管理装置が任意の前記無線通信装置に対して報知する報知信号を参照して、前記通信管理装置との伝送路において最適となる前記既知参照信号の挿入間隔を決定するよう構成されている請求項１５に記載の無線通信システム。
【請求項１７】
前記既知参照信号挿入間隔決定手段が、伝送路応答の時間変動量を参照して、前記データを送信する際に最適となる前記既知参照信号の挿入間隔を計算するよう構成されている請求項１から１６のいずれか１つに記載の無線通信システム。
【請求項１８】
送信側無線通信装置及び受信側無線通信装置により構成される無線通信システムで利用され、前記送信側無線通信装置から前記受信側無線通信装置に伝送路を介して送信されるデータ内に挿入される既知参照信号の挿入間隔を可変とする無線通信方法であって、
前記送信側無線通信装置が、前記既知参照信号の挿入間隔を決定するステップと、
前記送信側無線通信装置が、決定された前記既知参照信号の挿入間隔に基づいて、前記データに前記既知参照信号を挿入し、前記受信側無線通信装置に送信するステップとを、
有する無線通信方法。
【請求項１９】
送信側無線通信装置及び受信側無線通信装置により構成される無線通信システムで利用され、前記送信側無線通信装置から前記受信側無線通信装置に伝送路を介して送信されるデータ内に挿入される既知参照信号の挿入間隔を可変とする無線通信方法であって、
前記送信側無線通信装置が、前記データの送信前に前記受信側無線通信装置に対して、前記データの送信要求情報と共に前記既知参照信号の挿入間隔の決定が可能である旨を通知するステップと、
前記受信側無線通信装置が、前記送信要求情報を受信し、前記送信要求情報の応答である受信準備完了情報を送信するステップと、
前記送信側無線通信装置が、前記受信側無線通信装置から前記受信準備完了情報を受信した場合、前記既知参照信号の挿入間隔を決定するステップと、
前記送信側無線通信装置が、決定された前記既知参照信号の挿入間隔に基づいて前記既知参照信号が挿入された前記データを前記受信側無線通信装置に送信するステップとを、
有する無線通信方法。
【請求項２０】
前記送信側無線通信装置が、前記受信側無線通信装置から受信した前記受信準備完了情報に係る情報信号を参照して、前記データ送信における最適な前記既知参照信号の挿入間隔を決定するステップを有する請求項１９に記載の無線通信方法。
【請求項２１】
送信側無線通信装置及び受信側無線通信装置により構成される無線通信システムで利用され、前記送信側無線通信装置から前記受信側無線通信装置に伝送路を介して送信されるデータ内に挿入される既知参照信号の挿入間隔を可変とする無線通信方法であって、
前記送信側無線通信装置が、前記データの送信前に前記受信側無線通信装置に対して、前記データとは異なるデータを送信するステップと、
前記受信側無線通信装置が、前記異なるデータを受信し、前記異なるデータの受信が完了したことを示す受信確認情報を送信するステップと、
前記送信側無線通信装置が、前記受信側無線通信装置から前記受信確認情報を受信した場合、前記送信側無線通信装置が前記既知参照信号の挿入間隔を決定するステップと、
前記送信側無線通信装置が、決定された前記既知参照信号の挿入間隔に基づいて前記既知参照信号が挿入された前記データを前記受信側無線通信装置に送信するステップとを、
有する無線通信方法。
【請求項２２】
前記送信側無線通信装置が、前記受信側無線通信装置から受信した前記受信確認情報に係る情報信号を参照して、前記受信側無線通信装置への前記データを送信における最適な前記既知参照信号の挿入間隔を決定するステップを有する請求項２１に記載の無線通信方法。
【請求項２３】
送信側無線通信装置及び受信側無線通信装置により構成される無線通信システムで利用され、前記送信側無線通信装置から前記受信側無線通信装置に伝送路を介して送信されるデータ内に挿入される既知参照信号の挿入間隔を可変とする無線通信方法であって、
前記送信側無線通信装置が、前記受信側無線通信装置から任意の無線通信装置に対して送信された情報信号を受信するステップと、
前記送信側無線通信装置が、前記受信した情報信号を参照して前記受信側無線通信装置への前記データを送信における最適な前記既知参照信号の挿入間隔を決定するステップとを、
有する無線通信方法。
【請求項２４】
送信側無線通信装置及び受信側無線通信装置により構成される無線通信システムで利用され、前記送信側無線通信装置から前記受信側無線通信装置に伝送路を介して送信されるデータ内に挿入される既知参照信号の挿入間隔を可変とする無線通信方法であって、
前記受信側無線通信装置が、前記既知参照信号の挿入間隔を決定するステップと、
前記受信側無線通信装置が、前記データの送信前に、決定された前記既知参照信号の挿入間隔を前記送信側無線通信装置に対して通知するステップとを、
有する無線通信方法。
【請求項２５】
送信側無線通信装置及び受信側無線通信装置により構成される無線通信システムで利用され、前記送信側無線通信装置から前記受信側無線通信装置に伝送路を介して送信されるデータ内に挿入される既知参照信号の挿入間隔が可変である無線通信方法であって、
前記送信側無線通信装置が、前記データの送信前に前記受信側無線通信装置に対して、前記データの送信要求情報と共に前記既知参照信号の挿入間隔を要求する情報を送信するステップと、
前記受信側無線通信装置が、前記既知参照信号の挿入間隔を要求する情報を受けて、前記既知参照信号の挿入間隔を決定するステップと、
前記受信側無線通信装置が、決定された前記既知参照信号の挿入間隔を前記送信側無線通信装置に対して通知するステップと、
前記送信側無線通信装置が、前記受信側無線通信装置から通知された前記既知参照信号の挿入間隔に基づいて、前記データに前記既知参照信号を挿入して前記受信側無線通信装置に送信するステップとを、
有する無線通信方法。
【請求項２６】
前記受信側無線通信装置が、前記送信側無線通信装置から受信した前記データの送信要求情報及び前記既知参照信号の挿入間隔を要求する情報に係る情報信号を参照して、前記データ送信における最適な前記既知参照信号の挿入間隔を決定するステップを有する請求項２５に記載の無線通信方法。
【請求項２７】
送信側無線通信装置及び受信側無線通信装置により構成される無線通信システムで利用され、前記送信側無線通信装置から前記受信側無線通信装置に伝送路を介して送信されるデータ内に挿入される既知参照信号の挿入間隔を可変とする無線通信方法であって、
前記送信側無線通信装置が、前記データの送信前に前記受信側無線通信装置に対して、前記データとは異なるデータを送信するステップと、
前記受信側無線通信装置が、前記異なるデータを受信して、前記既知参照信号の挿入間隔を決定するステップと、
前記受信側無線通信装置が、前記異なるデータの受信が完了したことを示す受信確認情報と共に前記既知参照信号の挿入間隔を前記送信側無線通信装置に対して通知するステップと、
前記送信側無線通信装置が、前記受信側無線通信装置から通知された前記既知参照信号の挿入間隔に基づいて前記既知参照信号が挿入された前記データを前記受信側無線通信装置に送信するステップとを、
有する無線通信方法。
【請求項２８】
前記受信側無線通信装置が、前記送信側無線通信装置から受信した前記異なるデータに係る情報信号を参照して、前記受信側無線通信装置への前記データを送信における最適な前記既知参照信号の挿入間隔を決定するステップを有する請求項２７に記載の無線通信方法。
【請求項２９】
送信側無線通信装置及び受信側無線通信装置により構成される無線通信システムで利用され、前記送信側無線通信装置から前記受信側無線通信装置に伝送路を介して送信されるデータ内に挿入される既知参照信号の挿入間隔を可変とする無線通信方法であって、
前記受信側無線通信装置が、前記送信側無線通信装置から任意の無線通信装置に対して送信された情報信号を受信するステップと、
前記受信側無線通信装置が、前記受信した情報信号を参照して前記既知参照信号の挿入間隔を決定するステップと、
前記受信側無線通信装置が、決定された前記既知参照信号の挿入間隔を前記送信側無線通信装置に対して通知するステップと、
前記送信側無線通信装置が、前記受信側無線通信装置から通知された前記既知参照信号の挿入間隔に基づいて、前記データに前記既知参照信号を挿入して前記受信側無線通信装置に送信するステップとを、
有する無線通信方法。
【請求項３０】
送信側無線通信装置及び受信側無線通信装置により構成される無線通信システムで利用され、前記送信側無線通信装置と前記受信側無線通信装置との間の通信で伝送されるデータ内に挿入される既知参照信号の挿入間隔を可変とする無線通信方法であって、
前記送信側無線通信装置及び前記受信側無線通信装置が前記既知参照信号の挿入間隔を取得するステップと、
前記送信側無線通信装置及び前記受信側無線通信装置のそれぞれが、前記既知参照信号の挿入間隔を取得するステップと、
前記送信側無線通信装置又は前記受信側無線通信装置が、前記送信側無線通信装置及び前記受信側無線通信装置のそれぞれで取得された前記既知参照信号の挿入間隔を用いて、前記データ内に挿入される前記既知参照信号の挿入間隔を決定するステップとを、
有する無線通信方法。
【請求項３１】
複数の無線通信装置と前記複数の無線通信装置と通信可能な通信管理装置により構成される無線通信システムで利用され、前記複数の無線通信装置のそれぞれと前記通信管理装置との間の通信で伝送されるデータ内に挿入される既知参照信号の挿入間隔を可変とする無線通信方法であって、
前記通信管理装置が、前記複数の無線通信装置のそれぞれとの通信における最適な前記既知参照信号の挿入間隔を決定するステップと、
前記複数の無線通信装置のそれぞれとの伝送路において最適となる前記既知参照信号の挿入間隔を格納するステップとを、
有する無線通信方法。
【請求項３２】
複数の無線通信装置と前記複数の無線通信装置と通信可能な通信管理装置により構成される無線通信システムで利用され、前記複数の無線通信装置のそれぞれと前記通信管理装置との間の通信で伝送されるデータ内に挿入される既知参照信号の挿入間隔を可変とする無線通信方法であって、
前記複数の無線通信装置のそれぞれが、前記通信管理装置との通信における最適な前記既知参照信号の挿入間隔を決定するステップと、
前記通信管理装置との伝送路において最適となる前記既知参照信号の挿入間隔を格納するステップとを、
有する無線通信方法。
【請求項３３】
前記複数の無線通信装置のそれぞれが、前記通信管理装置が任意の前記無線通信装置に対して報知する報知信号を参照して、前記通信管理装置との伝送路において最適となる前記既知参照信号の挿入間隔を決定するステップを有する請求項３２に記載の無線通信方法。
【請求項３４】
前記既知参照信号の挿入間隔の際、伝送路応答の時間変動量を参照して、前記データを送信する際に最適となる前記既知参照信号の挿入間隔を計算するステップを有する請求項１８から３３のいずれか１つに記載の無線通信方法。
【発明の詳細な説明】
【０００１】
【発明の属する技術分野】
本発明は、無線通信システム及び無線通信方法に関し、特に、通信のスループットを向上させることを可能とする無線通信システム及び無線通信方法に関する。
【０００２】
【従来の技術】
従来、無線通信装置間で行われる無線通信に関する様々な規格が存在する。例えば、無線ＬＡＮ（Ｌｏｃａｌ  Ａｒｅａ  Ｎｅｔｗｏｒｋ：ローカルエリアネットワーク）における標準規格であるＩＥＥＥ標準８０２．１１規格（下記の非特許文献１参照）などが挙げられる。
【０００３】
非特許文献１に定められた規格を始めとして、通信規格の多くは、通信前段階において、送信側から受信側に対して、データの送信を要求する送信要求情報を送信し、受信側から送信側に対して、送信要求情報の応答である受信準備完了情報を送信することによって、データ伝送が開始される。また、データ伝送後には、受信側は、受信確認情報を送信することによって、データ受信の確認を行うことが可能となっている。
【０００４】
また、無線ＬＡＮや陸上移動通信などのデジタル移動無線通信システムにおいて、伝送速度を向上するために１６ＱＡＭ（Ｑｕａｄｒａｔｕｒｅ  Ａｍｐｌｉｔｕｄｅ  Ｍｏｄｕｌａｔｉｏｎ：直交振幅変調）や６４ＱＡＭなどの同期検波を必要とする多値直交振幅変調方式が適用されている。送受信局の移動や周辺環境の移動を伴うデジタル移動無線通信では、受信信号の振幅及び位相が変動するフェージングにより特性が大きく劣化する。したがって、ＱＡＭを移動無線通信に適用するためには、フェージングによる受信信号の振幅・位相変動の効果的な補償方式が必要である。
【０００５】
このため、移動無線通信においては、送信側で情報シンボルの間に周期的に既知参照信号（パイロットシンボル、パイロット信号とも呼ばれる）を挿入し、受信側では複素ベースバンドにおいて、送信側から受信したパイロットシンボルを基準として、振幅・位相変動補償を行う方式が採用されている。このパイロット信号の挿入間隔を可変にし、各伝送路に適したパイロット信号の挿入間隔で通信を行う技術は、例えば、下記の特許文献１に開示されている。
【０００６】
また、本出願人は、特願２００２−１９９２２７号（未公開につき、公知とはなっておらず、これ自体は従来の技術を構成するものではない）で、データに付加されたヘッダの伝送時間や空き時間などを削減することによって、データ伝送効率を向上させることを可能とする技術を出願している。この技術によれば、例えば、データを連続的に送信し、データ間（フレーム間）の無信号区間を削減したり、ヘッダの削減や容量の少ないデータへの置換を行って、ヘッダ容量を削減したりすることによって、通信のスループットを向上させることが可能となる。
【０００７】
【非特許文献１】
ＩＥＥＥ  ｓｔａｎｄａｒｄ  ８０２．１１，  ”Ｗｉｒｅｌｅｓｓ  ＬＡＮ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ  （ＰＨＹ）  Ｓｐｅｃｉｆｉｃａｔｉｏｎｓ，”  ＩＥＥＥ，Ｉｎｃ．，  Ｎｅｗ  Ｙｏｒｋ  １９９７
【特許文献１】
特開２００１−３３９３６３号公報（請求項６、段落００６３、００６４）
【０００８】
【発明が解決しようとする課題】
しかしながら、一般的に、パイロット信号の挿入間隔は固定的に定められており、送信側と受信側との間の伝送路環境によらず常に一定である。したがって、パイロット信号の挿入間隔を可変にしようとした場合、通信を行っている無線通信装置間で、このパイロット信号の挿入間隔に関する取り決めを行う必要があるが、こうした取り決めを実際に行うことが可能な無線通信システムは存在しない。また、例えば、非特許文献１に記載されている無線通信規格を始めとする通信規格では、送信要求情報、受信準備完了情報、受信確認情報などの各情報と共に、別の情報を送信することが可能な通信規格は現在存在しない。
【０００９】
上記問題に鑑み、本発明は、無線通信装置間で、パイロット信号の挿入間隔を可変にするための取り決めを行い、通信のスループットを向上させることを可能とする無線通信システム及び無線通信方法を提供することを目的とする。
【００１０】
【課題を解決するための手段】
上記目的を達成するため、本発明の無線通信システムは、送信側無線通信装置及び受信側無線通信装置により構成され、送信側無線通信装置から受信側無線通信装置に伝送路を介して送信されるデータ内に挿入される既知参照信号の挿入間隔が可変である無線通信システムであって、送信側無線通信装置が、既知参照信号の挿入間隔を決定することが可能な既知参照信号挿入間隔決定手段を有し、送信側無線通信装置が、既知参照信号挿入間隔決定手段によって決定された既知参照信号の挿入間隔に基づいて、データに既知参照信号を挿入し、受信側無線通信装置に送信するよう構成されている。
この構成により、送信側無線通信装置が、送信側無線通信装置から受信側無線通信装置にデータを送信する際に挿入される既知参照信号の挿入間隔を決定することが可能となり、この既知参照信号の挿入間隔による通信を行うことで、通信のスループットを向上することが可能となる。
【００１１】
また、上記目的を達成するため、本発明の無線通信システムは、送信側無線通信装置及び受信側無線通信装置により構成され、送信側無線通信装置から受信側無線通信装置に伝送路を介して送信されるデータ内に挿入される既知参照信号の挿入間隔が可変である無線通信システムであって、送信側無線通信装置が、既知参照信号の挿入間隔を決定することが可能な既知参照信号挿入間隔決定手段と、データの送信前に受信側無線通信装置に対して、データの送信要求情報と共に既知参照信号の挿入間隔の決定が可能である旨を通知する通知手段とを有し、送信側無線通信装置が、受信側無線通信装置から送信要求情報の応答である受信準備完了情報を受信した場合、既知参照信号の挿入間隔を決定し、決定された既知参照信号の挿入間隔に基づいて既知参照信号が挿入されたデータを受信側無線通信装置に送信するよう構成されている。
この構成により、送信側無線通信装置が、送信側無線通信装置から受信側無線通信装置にデータを送信する直前の受信準備完了情報の受信タイミングで、データに挿入する既知参照信号の挿入間隔を決定することが可能となり、この既知参照信号の挿入間隔による通信を行うことで、通信のスループットを向上することが可能となる。
【００１２】
さらに、本発明の無線通信システムは、上記発明において、送信側無線通信装置が、受信側無線通信装置から受信した受信準備完了情報に係る情報信号を参照して、データ送信における最適な既知参照信号の挿入間隔を決定するよう構成されている。
この構成により、送信側無線通信装置が、送信側無線通信装置から受信側無線通信装置にデータを送信する直前の受信準備完了情報に係る情報信号を参照して、データに挿入する既知参照信号の挿入間隔を決定することが可能となる。
【００１３】
また、上記目的を達成するため、本発明の無線通信システムは、送信側無線通信装置及び受信側無線通信装置により構成され、送信側無線通信装置から受信側無線通信装置に伝送路を介して送信されるデータ内に挿入される既知参照信号の挿入間隔が可変である無線通信システムであって、送信側無線通信装置が、既知参照信号の挿入間隔を決定することが可能な既知参照信号挿入間隔決定手段を有し、送信側無線通信装置が、データの送信前に受信側無線通信装置に対して、データとは異なるデータを送信し、受信側無線通信装置から異なるデータの受信が完了したことを示す受信確認情報を受信した場合、送信側無線通信装置が既知参照信号の挿入間隔を決定し、決定された既知参照信号の挿入間隔に基づいて既知参照信号が挿入されたデータを受信側無線通信装置に送信するよう構成されている。
この構成により、送信側無線通信装置が、送信側無線通信装置から受信側無線通信装置にデータを送信する直前に受信した受信確認情報の受信タイミングで、データに挿入する既知参照信号の挿入間隔を決定することが可能となり、この既知参照信号の挿入間隔による通信を行うことで、通信のスループットを向上することが可能となる。
【００１４】
さらに、本発明の無線通信システムは、上記発明において、送信側無線通信装置が、受信側無線通信装置から受信した受信確認情報に係る情報信号を参照して、受信側無線通信装置へのデータを送信における最適な既知参照信号の挿入間隔を決定するよう構成されている。
この構成により、送信側無線通信装置が、送信側無線通信装置から受信側無線通信装置にデータを送信する直前の受信確認情報に係る情報信号を参照して、データに挿入する既知参照信号の挿入間隔を決定することが可能となる。
【００１５】
また、上記目的を達成するため、本発明の無線通信システムは、送信側無線通信装置及び受信側無線通信装置により構成され、送信側無線通信装置から受信側無線通信装置に伝送路を介して送信されるデータ内に挿入される既知参照信号の挿入間隔が可変である無線通信システムであって、送信側無線通信装置が、既知参照信号の挿入間隔を決定することが可能な既知参照信号挿入間隔決定手段を有し、送信側無線通信装置が、受信側無線通信装置から任意の無線通信装置に対して送信された情報信号を受信し、受信した情報信号を参照して受信側無線通信装置へのデータを送信における最適な既知参照信号の挿入間隔を決定するよう構成されている。
この構成により、送信側無線通信装置が、送信側無線通信装置から受信側無線通信装置にデータを送信する前に受信した情報信号を参照して、データに挿入する既知参照信号の挿入間隔を決定することが可能となり、この既知参照信号の挿入間隔による通信を行うことで、通信のスループットを向上することが可能となる。
【００１６】
また、上記目的を達成するため、本発明の無線通信システムは、送信側無線通信装置及び受信側無線通信装置により構成され、送信側無線通信装置から受信側無線通信装置に伝送路を介して送信されるデータ内に挿入される既知参照信号の挿入間隔が可変である無線通信システムであって、受信側無線通信装置が、既知参照信号の挿入間隔を決定することが可能な既知参照信号挿入間隔決定手段と、データの送信前に、既知参照信号挿入間隔決定手段によって決定された既知参照信号の挿入間隔を送信側無線通信装置に対して通知する通知手段とを有している。
この構成により、受信側無線通信装置が、送信側無線通信装置から受信側無線通信装置にデータを送信する際に挿入される既知参照信号の挿入間隔を決定することが可能となり、この既知参照信号の挿入間隔による通信を行うことで、通信のスループットを向上することが可能となる。
【００１７】
また、上記目的を達成するため、本発明の無線通信システムは、送信側無線通信装置及び受信側無線通信装置により構成され、送信側無線通信装置から受信側無線通信装置に伝送路を介して送信されるデータ内に挿入される既知参照信号の挿入間隔が可変である無線通信システムであって、送信側無線通信装置が、データの送信前に受信側無線通信装置に対して、データの送信要求情報と共に既知参照信号の挿入間隔を要求する情報を送信する送信手段を有し、受信側無線通信装置が、既知参照信号の挿入間隔を決定することが可能な既知参照信号挿入間隔決定手段と、データの送信前に、既知参照信号挿入間隔決定手段によって決定された既知参照信号の挿入間隔を送信側無線通信装置に対して通知する通知手段とを有し、送信側無線通信装置が、データの送信前に受信側無線通信装置に対して、データの送信要求情報と共に既知参照信号の挿入間隔を要求する情報を送信し、受信側無線通信装置が、既知参照信号の挿入間隔を決定し、決定された既知参照信号の挿入間隔を送信側無線通信装置に対して通知し、送信側無線通信装置が、受信側無線通信装置から通知された既知参照信号の挿入間隔に基づいて、データに既知参照信号を挿入して受信側無線通信装置に送信するよう構成されている。この構成により、送信側無線通信装置は、例えば、最適な既知参照信号の挿入間隔を決定することができない場合に受信側無線通信装置に決定の要求を行い、受信側無線通信装置は、データの送信要求情報及び既知参照信号の挿入間隔を要求する情報の受信タイミングで、データに挿入する既知参照信号の挿入間隔を決定し、通知することが可能となり、この既知参照信号の挿入間隔による通信を行うことで、通信のスループットを向上することが可能となる。
【００１８】
さらに、本発明の無線通信システムは、上記発明において、受信側無線通信装置が、送信側無線通信装置から受信したデータの送信要求情報及び既知参照信号の挿入間隔を要求する情報に係る情報信号を参照して、データ送信における最適な既知参照信号の挿入間隔を決定するよう構成されている。
この構成により、受信側無線通信装置が、送信側無線通信装置から受信側無線通信装置にデータを送信する直前のデータの送信要求情報及び既知参照信号の挿入間隔を要求する情報に係る情報信号を参照して、データに挿入する既知参照信号の挿入間隔を決定することが可能となる。
【００１９】
また、上記目的を達成するため、本発明の無線通信システムは、送信側無線通信装置及び受信側無線通信装置により構成され、送信側無線通信装置から受信側無線通信装置に伝送路を介して送信されるデータ内に挿入される既知参照信号の挿入間隔が可変である無線通信システムであって、受信側無線通信装置が、既知参照信号の挿入間隔を決定することが可能な既知参照信号挿入間隔決定手段を有し、送信側無線通信装置が、データの送信前に受信側無線通信装置に対して、データとは異なるデータを送信した場合、受信側無線通信装置が既知参照信号の挿入間隔を決定し、決定された既知参照信号の挿入間隔を送信側無線通信装置に対して通知し、送信側無線通信装置が、受信側無線通信装置から通知された既知参照信号の挿入間隔に基づいて、データに既知参照信号を挿入して受信側無線通信装置に送信するよう構成されている。
この構成により、送信側無線通信装置は、例えば、最適な既知参照信号の挿入間隔を決定することができない場合に受信側無線通信装置に決定の要求を行い、受信側無線通信装置は、任意のデータの受信タイミングで、データに挿入する既知参照信号の挿入間隔を決定し、この挿入間隔を受信確認情報と共に通知することが可能となり、この既知参照信号の挿入間隔による通信を行うことで、通信のスループットを向上することが可能となる。
【００２０】
さらに、本発明の無線通信システムは、上記発明において、受信側無線通信装置が、送信側無線通信装置から受信した異なるデータに係る情報信号を参照して、受信側無線通信装置へのデータを送信における最適な既知参照信号の挿入間隔を決定するよう構成されている。
この構成により、送信側無線通信装置が、送信側無線通信装置から受信側無線通信装置にデータを送信する直前の受信確認情報に係る情報信号を参照して、データに挿入する既知参照信号の挿入間隔を決定し、通知することが可能となる。
【００２１】
また、上記目的を達成するため、本発明の無線通信システムは、送信側無線通信装置及び受信側無線通信装置により構成され、送信側無線通信装置から受信側無線通信装置に伝送路を介して送信されるデータ内に挿入される既知参照信号の挿入間隔が可変である無線通信システムであって、受信側無線通信装置が、既知参照信号の挿入間隔を決定することが可能な既知参照信号挿入間隔決定手段を有し、受信側無線通信装置が、送信側無線通信装置から任意の無線通信装置に対して送信された情報信号を受信し、受信した情報信号を参照して既知参照信号の挿入間隔を決定し、決定された既知参照信号の挿入間隔を送信側無線通信装置に対して通知し、送信側無線通信装置が、受信側無線通信装置から通知された既知参照信号の挿入間隔に基づいて、データに既知参照信号を挿入して受信側無線通信装置に送信するよう構成されている。
この構成により、受信側無線通信装置が、送信側無線通信装置から受信側無線通信装置にデータを送信する前に受信した情報信号を参照して、データに挿入する既知参照信号の挿入間隔を決定し、通知することが可能となり、この既知参照信号の挿入間隔による通信を行うことで、通信のスループットを向上することが可能となる。
【００２２】
また、上記目的を達成するため、本発明の無線通信システムは、送信側無線通信装置及び受信側無線通信装置により構成され、送信側無線通信装置と受信側無線通信装置との間の通信で伝送されるデータ内に挿入される既知参照信号の挿入間隔が可変である無線通信システムであって、送信側無線通信装置及び受信側無線通信装置が既知参照信号の挿入間隔を取得することが可能な既知参照信号挿入間隔取得手段を有し、送信側無線通信装置により取得された既知参照信号の挿入間隔、及び、受信側無線通信装置により取得された既知参照信号の挿入間隔を用いて、データ内に挿入される既知参照信号の挿入間隔が決定されるよう構成されている。
この構成により、送信側無線通信装置及び受信側無線通信装置の両方で既知参照信号の挿入間隔を決定することが可能となり、例えば、２つの既知参照信号のうちのいずれか一方や２つの既知参照信号の平均などの計算、選択が可能となり、より良い精度で既知参照信号の挿入間隔を決定することが可能となる。
【００２３】
また、上記目的を達成するため、本発明の無線通信システムは、複数の無線通信装置と複数の無線通信装置と通信可能な通信管理装置により構成され、複数の無線通信装置のそれぞれと通信管理装置との間の通信で伝送されるデータ内に挿入される既知参照信号の挿入間隔が可変である無線通信システムであって、通信管理装置が、複数の無線通信装置のそれぞれとの通信における最適な既知参照信号の挿入間隔を決定することが可能な既知参照信号挿入間隔決定手段と、複数の無線通信装置のそれぞれとの伝送路において最適となる既知参照信号の挿入間隔を格納することが可能な格納手段とを有している。
この構成により、通信管理装置が複数の無線通信装置のそれぞれの通信に最適な既知参照信号の挿入間隔を計算し、通信管理装置が集中的に管理及び格納することが可能となる。
【００２４】
また、上記目的を達成するため、本発明の無線通信システムは、複数の無線通信装置と複数の無線通信装置と通信可能な通信管理装置により構成され、複数の無線通信装置のそれぞれと通信管理装置との間の通信で伝送されるデータ内に挿入される既知参照信号の挿入間隔が可変である無線通信システムであって、複数の無線通信装置のそれぞれが、通信管理装置との通信における最適な既知参照信号の挿入間隔を決定することが可能な既知参照信号挿入間隔決定手段と、通信管理装置との伝送路において最適となる既知参照信号の挿入間隔を格納することが可能な格納手段とを有している。
この構成により、複数の無線通信装置のそれぞれが、通信管理装置との通信に最適な既知参照信号の挿入間隔を計算し、各無線通信装置において管理、格納することが可能となる。
【００２５】
さらに、本発明の無線通信システムは、上記発明において、複数の無線通信装置のそれぞれが、通信管理装置が任意の無線通信装置に対して報知する報知信号を参照して、通信管理装置との伝送路において最適となる既知参照信号の挿入間隔を決定するよう構成されている。
この構成により、例えば、通信管理装置から周期的に報知されるビーコンなどの報知信号を用いて、既知参照信号の挿入間隔を決定することが可能となる。
【００２６】
さらに、本発明の無線通信システムは、上記発明において、既知参照信号挿入間隔決定手段が、伝送路応答の時間変動量を参照して、データを送信する際に最適となる既知参照信号の挿入間隔を計算するよう構成されている。
この構成により、伝送路応答の時間変動量を参照して、最適となる既知参照信号の挿入間隔を計算することが可能となり、データ伝送の際に最適となるパイロット信号の挿入間隔を決定することが可能となる。
【００２７】
また、上記目的を達成するため、本発明の無線通信方法は、送信側無線通信装置及び受信側無線通信装置により構成される無線通信システムで利用され、送信側無線通信装置から受信側無線通信装置に伝送路を介して送信されるデータ内に挿入される既知参照信号の挿入間隔を可変とする無線通信方法であって、送信側無線通信装置が、既知参照信号の挿入間隔を決定するステップと、送信側無線通信装置が、決定された既知参照信号の挿入間隔に基づいて、データに既知参照信号を挿入し、受信側無線通信装置に送信するステップとを有している。
これにより、送信側無線通信装置が、送信側無線通信装置から受信側無線通信装置にデータを送信する際に挿入される既知参照信号の挿入間隔を決定することが可能となり、この既知参照信号の挿入間隔による通信を行うことで、通信のスループットを向上することが可能となる。
【００２８】
また、上記目的を達成するため、本発明の無線通信方法は、送信側無線通信装置及び受信側無線通信装置により構成される無線通信システムで利用され、送信側無線通信装置から受信側無線通信装置に伝送路を介して送信されるデータ内に挿入される既知参照信号の挿入間隔を可変とする無線通信方法であって、送信側無線通信装置が、データの送信前に受信側無線通信装置に対して、データの送信要求情報と共に既知参照信号の挿入間隔の決定が可能である旨を通知するステップと、受信側無線通信装置が、送信要求情報を受信し、送信要求情報の応答である受信準備完了情報を送信するステップと、送信側無線通信装置が、受信側無線通信装置から受信準備完了情報を受信した場合、既知参照信号の挿入間隔を決定するステップと、送信側無線通信装置が、決定された既知参照信号の挿入間隔に基づいて既知参照信号が挿入されたデータを受信側無線通信装置に送信するステップとを有している。
これにより、送信側無線通信装置が、送信側無線通信装置から受信側無線通信装置にデータを送信する直前の受信準備完了情報の受信タイミングで、データに挿入する既知参照信号の挿入間隔を決定することが可能となり、この既知参照信号の挿入間隔による通信を行うことで、通信のスループットを向上することが可能となる。
【００２９】
さらに、本発明の無線通信方法は、上記発明において、送信側無線通信装置が、受信側無線通信装置から受信した受信準備完了情報に係る情報信号を参照して、データ送信における最適な既知参照信号の挿入間隔を決定するステップを有している。
これにより、送信側無線通信装置が、送信側無線通信装置から受信側無線通信装置にデータを送信する直前の受信準備完了情報に係る情報信号を参照して、データに挿入する既知参照信号の挿入間隔を決定することが可能となる。
【００３０】
また、上記目的を達成するため、本発明の無線通信方法は、送信側無線通信装置及び受信側無線通信装置により構成される無線通信システムで利用され、送信側無線通信装置から受信側無線通信装置に伝送路を介して送信されるデータ内に挿入される既知参照信号の挿入間隔を可変とする無線通信方法であって、送信側無線通信装置が、データの送信前に受信側無線通信装置に対して、データとは異なるデータを送信するステップと、受信側無線通信装置が、異なるデータを受信し、異なるデータの受信が完了したことを示す受信確認情報を送信するステップと、送信側無線通信装置が、受信側無線通信装置から受信確認情報を受信した場合、送信側無線通信装置が既知参照信号の挿入間隔を決定するステップと、送信側無線通信装置が、決定された既知参照信号の挿入間隔に基づいて既知参照信号が挿入されたデータを受信側無線通信装置に送信するステップとを有している。これにより、送信側無線通信装置が、送信側無線通信装置から受信側無線通信装置にデータを送信する直前に受信した受信確認情報の受信タイミングで、データに挿入する既知参照信号の挿入間隔を決定することが可能となり、この既知参照信号の挿入間隔による通信を行うことで、通信のスループットを向上することが可能となる。
【００３１】
さらに、本発明の無線通信方法は、上記発明において、送信側無線通信装置が、受信側無線通信装置から受信した受信確認情報に係る情報信号を参照して、受信側無線通信装置へのデータを送信における最適な既知参照信号の挿入間隔を決定するステップを有している。
これにより、送信側無線通信装置が、送信側無線通信装置から受信側無線通信装置にデータを送信する直前の受信確認情報に係る情報信号を参照して、データに挿入する既知参照信号の挿入間隔を決定することが可能となる。
【００３２】
また、上記目的を達成するため、本発明の無線通信方法は、送信側無線通信装送信側無線通信装置及び受信側無線通信装置により構成される無線通信システムで利用され、送信側無線通信装置から受信側無線通信装置に伝送路を介して送信されるデータ内に挿入される既知参照信号の挿入間隔を可変とする無線通信方法であって、送信側無線通信装置が、受信側無線通信装置から任意の無線通信装置に対して送信された情報信号を受信するステップと、送信側無線通信装置が、受信した情報信号を参照して受信側無線通信装置へのデータを送信における最適な既知参照信号の挿入間隔を決定するステップとを有している。
これにより、送信側無線通信装置が、送信側無線通信装置から受信側無線通信装置にデータを送信する前に受信した情報信号を参照して、データに挿入する既知参照信号の挿入間隔を決定することが可能となり、この既知参照信号の挿入間隔による通信を行うことで、通信のスループットを向上することが可能となる。
【００３３】
また、上記目的を達成するため、本発明の無線通信方法は、送信側無線通信装送信側無線通信装置及び受信側無線通信装置により構成される無線通信システムで利用され、送信側無線通信装置から受信側無線通信装置に伝送路を介して送信されるデータ内に挿入される既知参照信号の挿入間隔を可変とする無線通信方法であって、受信側無線通信装置が、既知参照信号の挿入間隔を決定するステップと、受信側無線通信装置が、データの送信前に、決定された既知参照信号の挿入間隔を送信側無線通信装置に対して通知するステップとを有している。
これにより、受信側無線通信装置が、送信側無線通信装置から受信側無線通信装置にデータを送信する際に挿入される既知参照信号の挿入間隔を決定することが可能となり、この既知参照信号の挿入間隔による通信を行うことで、通信のスループットを向上することが可能となる。
【００３４】
また、上記目的を達成するため、本発明の無線通信方法は、送信側無線通信装送信側無線通信装置及び受信側無線通信装置により構成される無線通信システムで利用され、送信側無線通信装置から受信側無線通信装置に伝送路を介して送信されるデータ内に挿入される既知参照信号の挿入間隔が可変である無線通信方法であって、送信側無線通信装置が、データの送信前に受信側無線通信装置に対して、データの送信要求情報と共に既知参照信号の挿入間隔を要求する情報を送信するステップと、受信側無線通信装置が、既知参照信号の挿入間隔を要求する情報を受けて、既知参照信号の挿入間隔を決定するステップと、受信側無線通信装置が、決定された既知参照信号の挿入間隔を送信側無線通信装置に対して通知するステップと、送信側無線通信装置が、受信側無線通信装置から通知された既知参照信号の挿入間隔に基づいて、データに既知参照信号を挿入して受信側無線通信装置に送信するステップとを有している。
これにより、送信側無線通信装置は、例えば、最適な既知参照信号の挿入間隔を決定することができない場合に受信側無線通信装置に決定の要求を行い、受信側無線通信装置は、データの送信要求情報及び既知参照信号の挿入間隔を要求する情報の受信タイミングで、データに挿入する既知参照信号の挿入間隔を決定し、通知することが可能となり、この既知参照信号の挿入間隔による通信を行うことで、通信のスループットを向上することが可能となる。
【００３５】
さらに、本発明の無線通信方法は、上記発明において、受信側無線通信装置が、送信側無線通信装置から受信したデータの送信要求情報及び既知参照信号の挿入間隔を要求する情報に係る情報信号を参照して、データ送信における最適な既知参照信号の挿入間隔を決定するステップを有している。
これにより、受信側無線通信装置が、送信側無線通信装置から受信側無線通信装置にデータを送信する直前のデータの送信要求情報及び既知参照信号の挿入間隔を要求する情報に係る情報信号を参照して、データに挿入する既知参照信号の挿入間隔を決定することが可能となる。
【００３６】
また、上記目的を達成するため、本発明の無線通信方法は、送信側無線通信装置及び受信側無線通信装置により構成される無線通信システムで利用され、送信側無線通信装置から受信側無線通信装置に伝送路を介して送信されるデータ内に挿入される既知参照信号の挿入間隔を可変とする無線通信方法であって、  送信側無線通信装置が、データの送信前に受信側無線通信装置に対して、データとは異なるデータを送信するステップと、受信側無線通信装置が、異なるデータを受信して、既知参照信号の挿入間隔を決定するステップと、受信側無線通信装置が、異なるデータの受信が完了したことを示す受信確認情報と共に既知参照信号の挿入間隔を送信側無線通信装置に対して通知するステップと、送信側無線通信装置が、受信側無線通信装置から通知された既知参照信号の挿入間隔に基づいて既知参照信号が挿入されたデータを受信側無線通信装置に送信するステップとを有している。
これにより、送信側無線通信装置は、例えば、最適な既知参照信号の挿入間隔を決定することができない場合に受信側無線通信装置に決定の要求を行い、受信側無線通信装置は、任意のデータの受信タイミングで、データに挿入する既知参照信号の挿入間隔を決定し、この挿入間隔を受信確認情報と共に通知することが可能となり、この既知参照信号の挿入間隔による通信を行うことで、通信のスループットを向上することが可能となる。
【００３７】
さらに、本発明の無線通信方法は、上記発明において、受信側無線通信装置が、送信側無線通信装置から受信した異なるデータに係る情報信号を参照して、受信側無線通信装置へのデータを送信における最適な既知参照信号の挿入間隔を決定するステップを有している。
これにより、送信側無線通信装置が、送信側無線通信装置から受信側無線通信装置にデータを送信する直前の受信確認情報に係る情報信号を参照して、データに挿入する既知参照信号の挿入間隔を決定し、通知することが可能となる。
【００３８】
また、上記目的を達成するため、本発明の無線通信方法は、送信側無線通信装置及び受信側無線通信装置により構成される無線通信システムで利用され、送信側無線通信装置から受信側無線通信装置に伝送路を介して送信されるデータ内に挿入される既知参照信号の挿入間隔を可変とする無線通信方法であって、受信側無線通信装置が、送信側無線通信装置から任意の無線通信装置に対して送信された情報信号を受信するステップと、受信側無線通信装置が、受信した情報信号を参照して既知参照信号の挿入間隔を決定するステップと、受信側無線通信装置が、決定された既知参照信号の挿入間隔を送信側無線通信装置に対して通知するステップと、送信側無線通信装置が、受信側無線通信装置から通知された既知参照信号の挿入間隔に基づいて、データに既知参照信号を挿入して受信側無線通信装置に送信するステップとを有している。
これにより、受信側無線通信装置が、送信側無線通信装置から受信側無線通信装置にデータを送信する前に受信した情報信号を参照して、データに挿入する既知参照信号の挿入間隔を決定し、通知することが可能となり、この既知参照信号の挿入間隔による通信を行うことで、通信のスループットを向上することが可能となる。
【００３９】
また、上記目的を達成するため、本発明の無線通信方法は、送信側無線通信装置及び受信側無線通信装置により構成される無線通信システムで利用され、送信側無線通信装置と受信側無線通信装置との間の通信で伝送されるデータ内に挿入される既知参照信号の挿入間隔を可変とする無線通信方法であって、送信側無線通信装置及び受信側無線通信装置が既知参照信号の挿入間隔を取得するステップと、送信側無線通信装置及び受信側無線通信装置のそれぞれが、既知参照信号の挿入間隔を取得するステップと、送信側無線通信装置又は受信側無線通信装置が、送信側無線通信装置及び受信側無線通信装置のそれぞれで取得された既知参照信号の挿入間隔を用いて、データ内に挿入される既知参照信号の挿入間隔を決定するステップとを有している。
これにより、送信側無線通信装置及び受信側無線通信装置の両方で既知参照信号の挿入間隔を決定することが可能となり、例えば、２つの既知参照信号のうちのいずれか一方や２つの既知参照信号の平均などの計算、選択が可能となり、より良い精度で既知参照信号の挿入間隔を決定することが可能となる。
【００４０】
また、上記目的を達成するため、本発明の無線通信方法は、複数の無線通信装置と複数の無線通信装置と通信可能な通信管理装置により構成される無線通信システムで利用され、複数の無線通信装置のそれぞれと通信管理装置との間の通信で伝送されるデータ内に挿入される既知参照信号の挿入間隔を可変とする無線通信方法であって、通信管理装置が、複数の無線通信装置のそれぞれとの通信における最適な既知参照信号の挿入間隔を決定するステップと、複数の無線通信装置のそれぞれとの伝送路において最適となる既知参照信号の挿入間隔を格納するステップとを有している。
これにより、通信管理装置が複数の無線通信装置のそれぞれの通信に最適な既知参照信号の挿入間隔を計算し、通信管理装置が集中的に管理及び格納することが可能となる。
【００４１】
また、上記目的を達成するため、本発明の無線通信方法は、複数の無線通信装置と複数の無線通信装置と通信可能な通信管理装置により構成される無線通信システムで利用され、複数の無線通信装置のそれぞれと通信管理装置との間の通信で伝送されるデータ内に挿入される既知参照信号の挿入間隔を可変とする無線通信方法であって、複数の無線通信装置のそれぞれが、通信管理装置との通信における最適な既知参照信号の挿入間隔を決定するステップと、通信管理装置との伝送路において最適となる既知参照信号の挿入間隔を格納するステップとを有している。
これにより、複数の無線通信装置のそれぞれが、通信管理装置との通信に最適な既知参照信号の挿入間隔を計算し、各無線通信装置において管理、格納することが可能となる。
【００４２】
さらに、本発明の無線通信方法は、上記発明において、複数の無線通信装置のそれぞれが、通信管理装置が任意の無線通信装置に対して報知する報知信号を参照して、通信管理装置との伝送路において最適となる既知参照信号の挿入間隔を決定するステップを有している。
これにより、例えば、通信管理装置から周期的に報知されるビーコンなどの報知信号を用いて、既知参照信号の挿入間隔を決定することが可能となる。
【００４３】
さらに、本発明の無線通信方法は、上記発明において、既知参照信号の挿入間隔の際、伝送路応答の時間変動量を参照して、データを送信する際に最適となる既知参照信号の挿入間隔を計算するステップを有している。
これにより、伝送路応答の時間変動量を参照して、最適となる既知参照信号の挿入間隔を計算することが可能となり、データ伝送の際に最適となるパイロット信号の挿入間隔を決定することが可能となる。
【００４４】
【発明の実施の形態】
以下、図面を参照しながら、本発明の第１〜第４の実施の形態について説明する。
【００４５】
＜第１の実施の形態＞
まず、本発明の第１の実施の形態について説明する。図１は、本発明の第１の実施の形態の無線通信システムの構成要素である無線通信装置の内部構成の一例を示すブロック図である。図１に示す無線通信装置１００は、受信ＲＦ部１、復調部２、パイロット信号挿入間隔取得部３、送信部４、送信ＲＦ部５により構成されている。
【００４６】
受信ＲＦ部１は、アンテナ９によって伝送路から受信した無線信号を物理層で処理可能な信号に変換し、変換後の信号を復調部２及びパイロット信号挿入間隔取得部３に供給する。復調部２は、受信ＲＦ部１から供給された信号の復調処理を行い、復調後の信号を受信データとして上位レイヤに出力する。
【００４７】
一方、パイロット信号挿入間隔取得部３は、最適なパイロット信号（既知参照信号、パイロットシンボルとも呼ばれる）の挿入間隔を計算したり、上位レイヤからパイロット信号の挿入間隔を供給されたりすることによって、パイロット信号の挿入間隔を取得（決定）することが可能である。なお、パイロット信号挿入間隔取得部３に、例えば、ＧＰＳ信号などを用いて当該無線通信装置１００の移動速度を検出し、その移動速度に最も適したパイロット信号の挿入間隔を計算する機能や受信ＲＦ部１から供給された信号を用いて伝送路応答の時間変動量を検出し、その検出結果を基にして最適なパイロット信号の挿入間隔を計算する機能を設けることによって、パイロット信号挿入間隔取得部３が、パイロット信号の挿入間隔を取得できるようにすることも可能であり、また、上位のアプリケーションで計算又は取得されたパイロット信号の挿入間隔を取得できるようにすることも可能である。
【００４８】
このようにして、パイロット信号挿入間隔取得部３で取得されたパイロット信号の挿入間隔に係る情報は、パイロット信号の挿入間隔を指示する情報、又は、送信データとして送信部４に供給される。パイロット信号挿入間隔取得部３から送信部４に対して、パイロット信号の挿入間隔を指示する情報として、パイロット信号の挿入間隔に係る情報が供給された場合には、送信部４において、そのパイロット信号の挿入間隔に従って送信データにパイロット信号を挿入する処理、及び、その他の送信処理が行われる。
【００４９】
一方、パイロット信号挿入間隔取得部３から送信部４に対して、送信データとして、パイロット信号の挿入間隔に係る情報が供給された場合には、送信部４において、パイロット信号の挿入間隔に係る情報が送信データとして取り扱われる。なお、送信部４は、パイロット信号挿入間隔取得部３で取得されたパイロット信号の挿入間隔に係る情報を、パイロット信号の挿入間隔を指示する情報及び送信データの少なくとも一方として、又は、両方として利用することが可能である。送信ＲＦ部５は、送信部４で処理され出力されたデータを無線信号に変換し、アンテナ９から伝送路に向けて送信する。
【００５０】
以上の構成によって、図１に示す無線通信装置１００は、パイロット信号の挿入間隔を取得し、取得したパイロット信号の挿入間隔に従って送信データにパイロット信号を挿入したり、取得したパイロット信号の挿入間隔を送信データとして送信し、その送信データを受信する受信側無線通信装置に対して、パイロット信号の挿入間隔を通知したりすることが可能となる。なお、パイロット信号の挿入間隔は、時間又はデータ量として表すことが可能である。
【００５１】
また、図２は、本発明の第１の実施の形態の無線通信システムにおける伝送データのフォーマットを示す模式図である。なお、図２（Ａ）は、伝送データが所定の容量にパケット化（分割化）された場合の伝送データのフォーマットを示す模式図、図２（Ｂ）は、パケット化されず、一続きのデータとして送信される伝送データのフォーマットを示す模式図である。
【００５２】
パイロット信号挿入間隔取得部３で取得されたパイロット信号の挿入間隔に従ってパイロット信号の挿入が行われた場合、無線通信装置１００から伝送路に送信される伝送データは、図２（Ａ）及び（Ｂ）に示すように、所定の間隔（パイロットの挿入間隔）で、パイロット信号が配置された状態となる。なお、パイロット信号挿入間隔取得部３で取得されたパイロット信号の挿入間隔に係る情報を送信データとしてのみ利用する場合には、パイロット信号の挿入間隔は任意（又は、別の方式で定められている挿入間隔）となり、図２（Ａ）及び（Ｂ）の『データ』と記載されている部分（ペイロード部）にパイロット信号の挿入間隔に係る情報が入れられることとなる。
【００５３】
また、図３は、本発明の第１の実施の形態の無線通信システムにおける処理及び伝送データを示すシーケンスチャートである。この図３は、２つの無線通信装置を有する無線通信システムのシーケンスチャートであり、２つの無線通信装置のそれぞれにおける処理と、２つの無線通信装置間で伝送される伝送データが図示されている。なお、図３では、上から下に時間の経過が示されている。
【００５４】
図３には、一方の無線通信装置（送信側：図３に示すＳＲＣ（Ｓｏｕｒｃｅ）１０１）から他方の無線通信装置（受信側：図３に示すＤＥＳＴ（Ｄｅｓｔｉｎａｔｉｏｎ）１０２）に対して、データを伝送する場合に、パイロット信号の挿入間隔を決定するための処理の流れが図示されており、ＳＲＣ１０１が図１に示す無線通信装置１００の内部構成を有している。
【００５５】
まず、ＳＲＣ１０１が、データの送信を要求する送信要求情報（図３に示す『送信要求』）と共にパイロット信号の挿入間隔が取得可能であることを示す情報（図３に示す『取得可』）を送信する（送信：ステップＳ１１１）。ＤＥＳＴ１０２は、『送信要求』及び『取得可』情報を受信し（受信：ステップＳ１１２）、送信要求情報に対する応答として、データの受信準備ができていることを示す受信準備完了情報（図３に示す『準備完了』）を送信する（送信：ステップＳ１１３）。
【００５６】
ＳＲＣ１０１は、受信準備完了情報を受信し（受信：ステップＳ１１４）、受信した受信準備完了情報から最適なパイロット信号の挿入間隔を計算したり、あるいは、その他の方法を利用したりすることによって、パイロット信号の挿入間隔を取得し（挿入間隔取得：ステップＳ１１５）、そのパイロット信号の挿入間隔に基づいて、送信データにパイロット信号を挿入して送信する（データ送信：ステップＳ１１６）。なお、ステップＳ１１６で送信されるデータは、図２（Ａ）又は（Ｂ）に示すように、パイロット信号の挿入間隔が定められたものである。
【００５７】
このようにして、無線通信システムを構成する２つの無線通信装置（ＳＲＣ１０１とＤＥＳＴ１０２）間で、ＳＲＣ１０１がパイロット信号の挿入間隔を決定するという取り決めが成立し、ＳＲＣ１０１で定められたパイロット信号の挿入間隔に従って、図２（Ａ）又は（Ｂ）に示すフォーマットでデータ通信を行うことが可能となる。
【００５８】
また、これ以降のデータ通信は、最初にＳＲＣ１０１によって定められたパイロット信号の挿入間隔でパイロット信号の挿入を行うことも可能であるが、例えば、ＳＲＣ１０１やＤＥＳＴ１０２が移動しており、最適なパイロット信号の挿入間隔が時々刻々と変化することを考慮して、所定のデータ送信回数毎（例えば、各データ送信）に、ＳＲＣ１０１が、パイロット信号の挿入間隔を変えることが好ましい。
【００５９】
また、図４は、本発明の第１の実施の形態の無線通信システムにおける各データ送信でパイロット信号の挿入間隔を可変にする処理及び伝送データを示すシーケンスチャートである。ＳＲＣ１０１からデータ送信が行われ（データ送信：ステップＳ１２１）、ＤＥＳＴ１０２が、このＳＲＣ１０１からの送信データの受信を完了した場合（受信完了：ステップＳ１２２）、ＤＥＳＴ１０２は受信が正常に完了したことを示す受信確認情報（図３に示す『確認』）を送信する（確認情報送信：ステップＳ１２３）。
【００６０】
ＳＲＣ１０１は、ＤＥＳＴ１０２から受信確認情報を受信し（確認情報受信：ステップＳ１２４）、受信した受信確認情報から最適なパイロット信号の挿入間隔を計算したり、あるいは、その他の方法を利用したりすることによって、パイロット信号の挿入間隔を取得し（挿入間隔取得：ステップＳ１２５）、そのパイロット信号の挿入間隔に基づいて、続けて送信すべき送信データにパイロット信号を挿入して送信する（データ送信：ステップＳ１２６）。
【００６１】
このようにして、データ送信毎に（すなわち、受信確認情報の受信に続けてデータ送信を行うタイミングで）、ＳＲＣ１０１が常に最適なパイロット信号の挿入間隔を取得し、そのパイロット信号の挿入間隔を用いてデータ送信を行うことが可能となる。
【００６２】
上記の図３及び図４に示す態様では、ＳＲＣ１０１が、ＤＥＳＴ１０２からＳＲＣ１０１宛てに送信された情報（図３に示す受信準備確認情報や図４に示す受信確認情報）を受信し、その受信タイミングでパイロット信号の挿入間隔の取得（パイロット信号の挿入間隔の計算やその他の方法による取得）を行っている。
【００６３】
しかしながら、特に、ＳＲＣ１０１が、受信した受信準備確認情報や受信確認情報を用いて、パイロット信号の挿入間隔の計算を行うような場合、受信準備確認情報や受信確認情報のような小さなパケットを用いて、パイロット信号の挿入間隔を精度良く計算できない可能性がある。また、ＳＲＣ１０１が、パイロット信号の挿入間隔の要求を受けてから、最適なパイロット信号の挿入間隔の計算を行う場合、ＤＥＳＴ１０２への応答までの時間が長くなってしまう可能性がある。そこで、例えば、ＳＲＣ１０１が、ＤＥＳＴ１０２から送信される任意の信号を受信し、この受信した任意の信号に基づいて、パイロット信号の挿入間隔を計算しておくようにすることも可能である。
【００６４】
図５は、本発明の第１の実施の形態の無線通信システムにおける任意の信号に基づいてパイロット信号の挿入間隔を可変にする処理及び伝送データを示すシーケンスチャートである。例えば、ＤＥＳＴ１０２が、ＳＲＣ１０１以外の無線通信装置宛てにデータの送信を行っており（送信：ステップＳ１３１）、ＳＲＣ１０１がこのデータ（信号）を受信できる場合がある（受信：ステップＳ１３２）。
【００６５】
本来ならば、このステップＳ１３１でＤＥＳＴ１０２から送信されたデータは、ＳＲＣ１０１にとっては意味を持たないものであるが、ここでは、このデータ（信号）を利用して、ＳＲＣ１０１が、ＳＲＣ１０１とＤＥＳＴ１０２との間の伝送路状況を把握し、最適なパイロット信号の挿入間隔の計算を行う（挿入間隔計算：ステップＳ１３３）。そして、ＳＲＣ１０１は、計算によって得られた最適なパイロット信号の挿入間隔を所定の格納手段に格納する（格納：ステップＳ１３４）。
【００６６】
以上のようにして計算及び格納されたパイロット信号の挿入間隔は、後に、ＳＲＣ１０１がＤＥＳＴ１０２に対してデータの送信を行う場合に用いられる。すなわち、ＳＲＣ１０１は、ステップＳ１３３で計算しステップＳ１３４で格納したパイロット信号の挿入間隔に基づいて、ＤＥＳＴ１０２送信すべき送信データにパイロット信号を挿入して送信する（データ送信：ステップＳ１３５）。なお、特に、ＳＲＣ１０１とＤＥＳＴ１０２の少なくともどちらか一方が移動している場合などには、ＳＲＣ１０１とＤＥＳＴ１０２との間の伝送路状況は時々刻々と変化するため、ＳＲＣ１０１は、常に最適なパイロット信号の挿入間隔の計算を更新できるようにすることが好ましい。
【００６７】
このようにして、ＳＲＣ１０１が、前もってＳＲＣ１０１とＤＥＳＴ１０２との間の伝送路状況を把握し、ＤＥＳＴ１０２にデータを送信する場合に用いるべき最適なパイロット信号の挿入間隔を計算、格納しておくことによって、ＳＲＣ１０１は、時間や処理データ送信時に、時間や処理負荷をかけずに最適なパイロット信号の挿入間隔を把握し、このパイロット信号の挿入間隔を用いて、ＤＥＳＴ１０２に対してデータ送信を行うことが可能となる。
【００６８】
＜第２の実施の形態＞
次に、本発明の第２の実施の形態について説明する。図６は、本発明の第２の実施の形態の無線通信システムにおける処理及び伝送データを示すシーケンスチャートである。この図６は、２つの無線通信装置を有する無線通信システムのシーケンスチャートであり、２つの無線通信装置のそれぞれにおける処理と、２つの無線通信装置間で伝送される伝送データが図示されている。なお、図６では、上から下に時間の経過が示されている。
【００６９】
図６には、一方の無線通信装置（送信側：図６に示すＳＲＣ２０１）から他方の無線通信装置（受信側：図６に示すＤＥＳＴ２０２）に対して、データを伝送する場合に、パイロット信号の挿入間隔を決定するための処理の流れが図示されており、ＤＥＳＴ２０２が図１に示す無線通信装置１００の内部構成を有している。
【００７０】
まず、ＳＲＣ２０１が、データの送信を要求する送信要求情報（図６に示す『送信要求』）と共にパイロット信号の挿入間隔を要求することを示す情報（図６に示す『挿入間隔要求』）を送信する（送信：ステップＳ２１１）。なお、例えば、第１の実施の形態で説明した『取得可』を示す情報と、この第２の実施の形態の『挿入間隔要求』を示す情報とを同一の１ビットのデータフィールドで簡潔に表現可能とし、例えば、『取得可』を示す場合には”１”、『挿入間隔要求』を示す場合には”０”で表現することも可能である。
【００７１】
ＤＥＳＴ２０２は、『送信要求』及び『挿入間隔要求』情報を受信し（受信：ステップＳ２１２）、受信した送信要求情報から最適なパイロット信号の挿入間隔を計算したり、あるいは、その他の方法を利用したりすることによって、パイロット信号の挿入間隔を取得する（パイロット信号の挿入間隔取得：ステップＳ２１３）。そして、ＤＥＳＴ２０２は、送信要求情報に対する応答として、データの受信準備ができていることを示す受信準備完了情報（図６に示す『準備完了』）と共に、パイロット信号の挿入間隔に係る情報（図６に示す『挿入間隔』）を送信データとして、ＳＲＣ２０１に送信する（送信：ステップＳ２１４）。
【００７２】
ＳＲＣ２０１は、受信準備完了情報及びパイロット信号の挿入間隔に係る情報を受信し（受信：ステップＳ２１５）、ＤＥＳＴ２０２から受信したパイロット信号の挿入間隔に基づいて、送信データにパイロット信号を挿入して送信する（データ送信：ステップＳ２１６）。なお、ステップＳ２１６で送信されるデータは、図２（Ａ）又は（Ｂ）に示すように、パイロット信号の挿入間隔が定められたものである。
【００７３】
このようにして、無線通信システムを構成する２つの無線通信装置（ＳＲＣ２０１とＤＥＳＴ２０２）間で、ＤＥＳＴ２０２がパイロット信号の挿入間隔を決定するという取り決めが成立し、ＤＥＳＴ２０２で定められたパイロット信号の挿入間隔に従って、図２（Ａ）又は（Ｂ）に示すフォーマットでデータ通信を行うことが可能となる。
【００７４】
また、これ以降のデータ通信は、最初にＤＥＳＴ２０２によって定められたパイロット信号の挿入間隔でパイロット信号の挿入を行うことも可能であるが、例えば、ＳＲＣ２０１やＤＥＳＴ２０２が移動しており、最適なパイロット信号の挿入間隔が時々刻々と変化することを考慮して、所定のデータ送信回数毎（例えば、各データ送信）に、ＤＥＳＴ２０２が、パイロット信号の挿入間隔を変えることが好ましい。
【００７５】
図７は、本発明の第２の実施の形態の無線通信システムにおける各データ送信でパイロット信号の挿入間隔を可変にする処理及び伝送データを示すシーケンスチャートである。ＳＲＣ２０１からデータ送信が行われた場合（データ送信：ステップＳ２２１）、ＤＥＳＴ２０１は、ＳＲＣ２０１から受信したデータから最適なパイロット信号の挿入間隔を計算したり、あるいは、その他の方法を利用したりすることによって、パイロット信号の挿入間隔を取得する（パイロット信号の挿入間隔取得：ステップＳ２２２）。
【００７６】
そして、このＳＲＣ２０１からの送信データの受信の完了した場合（受信完了：ステップＳ２２３）、ＤＥＳＴ２０２は受信が正常に完了したことを示す受信確認情報（図７に示す『確認』）と共に、パイロット信号の挿入間隔に係る情報（図７に示す『挿入間隔』）を送信データとして、ＳＲＣ２０１に送信する（送信：ステップＳ２２４）。なお、上記では、ＤＥＳＴ２０２が、ＳＲＣ２０１から送られてくるデータの受信中にパイロット信号の挿入間隔の取得処理を行っているが、ＳＲＣ２０１からのデータの受信が完了した後、パイロット信号の挿入間隔の取得処理を行うことも可能である。
【００７７】
ＳＲＣ２０１は、受信確認情報及びパイロット信号の挿入間隔に係る情報を受信し（受信：ステップＳ２２５）、ＤＥＳＴ２０２から受信したパイロット信号の挿入間隔に基づいて、送信データにパイロット信号を挿入して送信する（データ送信：ステップＳ２２６）。
【００７８】
このようにして、データ送信毎に（すなわち、受信確認情報の受信に続けてデータ送信を行うタイミングで）、ＳＲＣ２０１は、ＤＥＳＴ２０２から常に最適なパイロット信号の挿入間隔の通知を受け、通知されたパイロット信号の挿入間隔を用いてデータ送信を行うことが可能となる。
【００７９】
上記の図６及び図７に示す態様では、ＤＥＳＴ２０２が、ＳＲＣ２０１からＤＥＳＴ２０２宛てに送信された情報（図６に示す受信要求情報及び挿入間隔要求情報や、図７に示すデータ）を受信し、その受信タイミングでパイロット信号の挿入間隔の取得（パイロット信号の挿入間隔の計算やその他の方法による取得）を行っている。
【００８０】
しかしながら、特に、ＤＥＳＴ２０２が、受信した受信要求情報及び挿入間隔要求情報を用いて、パイロット信号の挿入間隔の計算を行うような場合、受信要求情報及び挿入間隔要求情報のような小さなパケットを用いて、パイロット信号の挿入間隔を精度良く計算できない可能性がある。また、ＤＥＳＴ２０２が、パイロット信号の挿入間隔の要求を受けてから、最適なパイロット信号の挿入間隔の計算を行う場合、ＳＲＣ２０１への応答までの時間が長くなってしまう可能性がある。そこで、例えば、ＤＥＳＴ２０２が、ＳＲＣ２０１から送信される任意の信号を受信し、この受信した任意の信号に基づいて、パイロット信号の挿入間隔を計算しておくようにすることも可能である。
【００８１】
図８は、本発明の第２の実施の形態の無線通信システムにおける任意の信号に基づいてパイロット信号の挿入間隔を可変にする処理及び伝送データを示すシーケンスチャートである。例えば、ＳＲＣ２０１が、ＤＥＳＴ２０２以外の無線通信装置宛てにデータの送信を行っており（送信：ステップＳ２３１）、ＤＥＳＴ２０２がこのデータ（信号）を受信できる場合がある（受信：ステップＳ２３２）。
【００８２】
本来ならば、このステップＳ２３１でＳＲＣ２０１から送信されたデータは、ＤＥＳＴ２０２にとっては意味を持たないものであるが、ここでは、このデータ（信号）を利用して、ＤＥＳＴ２０２が、ＳＲＣ２０１とＤＥＳＴ２０２との間の伝送路状況を把握し、最適なパイロット信号の挿入間隔の計算を行う（挿入間隔計算：ステップＳ２３３）。そして、ＤＥＳＴ２０２は、計算によって得られた最適なパイロット信号の挿入間隔を所定の格納手段に格納する（格納：ステップＳ２３４）。
【００８３】
以上のようにして計算及び格納されたパイロット信号の挿入間隔は、後に、ＳＲＣ２０１がＤＥＳＴ２０２に対してパイロット信号の挿入間隔を要求した際、ＤＥＳＴ２０２からＳＲＣ２０１に対してパイロット信号の挿入間隔を通知する場合に用いられる。
【００８４】
すなわち、ＳＲＣ２０１が、データの送信を要求する送信要求情報（図８に示す『送信要求』）と共にパイロット信号の挿入間隔を要求することを示す情報（図８に示す『挿入間隔要求』）をＤＥＳＴ２０２に対して送信した場合（送信：ステップＳ２３５）、ＤＥＳＴ２０２は、『送信要求』及び『挿入間隔要求』情報を受信し（受信：ステップＳ２３６）、ステップ２３４で格納したパイロット信号の挿入間隔を読み出して（読出し：ステップＳ２３７）、送信要求情報に対する応答として、データの受信準備ができていることを示す受信準備完了情報（図８に示す『準備完了』）と共に、パイロット信号の挿入間隔に係る情報（図８に示す『挿入間隔』）をＳＲＣ２０１に送信する（送信：ステップＳ２３８）。
【００８５】
ＳＲＣ２０１は、受信準備完了情報及びパイロット信号の挿入間隔に係る情報を受信し（受信：ステップＳ２３９）、ＤＥＳＴ２０２から受信したパイロット信号の挿入間隔に基づいて、送信データにパイロット信号を挿入して送信する（データ送信：ステップＳ２４０）。なお、特に、ＳＲＣ２０１とＤＥＳＴ２０２の少なくともどちらか一方が移動している場合などには、ＳＲＣ２０１とＤＥＳＴ２０２との間の伝送路状況は時々刻々と変化するため、ＤＥＳＴ２０２は、常に最適なパイロット信号の挿入間隔の計算を更新できるようにすることが好ましい。
【００８６】
このようにして、ＤＥＳＴ２０２が、前もってＳＲＣ２０１とＤＥＳＴ２０２との間の伝送路状況を把握し、ＳＲＣ２０１に通知すべき最適なパイロット信号の挿入間隔を計算、格納しておくことによって、ＤＥＳＴ２０２は、データ送信時に、時間や処理負荷をかけずに最適なパイロット信号の挿入間隔を把握し、このパイロット信号の挿入間隔を用いて、ＳＲＣ２０１はＤＥＳＴ２０２に対してデータ送信を行うことが可能となる。
【００８７】
＜第３の実施の形態＞
次に、本発明の第３の実施の形態について説明する。図９は、本発明の第３の実施の形態の無線通信システムにおける処理及び伝送データを示すシーケンスチャートである。この図９は、２つの無線通信装置を有する無線通信システムのシーケンスチャートであり、２つの無線通信装置のそれぞれにおける処理と、２つの無線通信装置間で伝送される伝送データが図示されている。なお、図９では、上から下に時間の経過が示されている。
【００８８】
図９には、一方の無線通信装置（送信側：図９に示すＳＲＣ３０１）から他方の無線通信装置（受信側：図９に示すＤＥＳＴ３０２）に対して、データを伝送する場合に、パイロット信号の挿入間隔を決定するための処理の流れが図示されており、ＳＲＣ３０１及びＤＥＳＴ３０２のそれぞれが図１に示す無線通信装置１００の内部構成を有している。
【００８９】
まず、ＳＲＣ３０１が、データの送信を要求する送信要求情報（図９に示す『送信要求』）と共にパイロット信号の挿入間隔を要求することを示す情報（図９に示す『挿入間隔要求』）を送信する（送信：ステップＳ３１１）。ＤＥＳＴ３０２は、『送信要求』及び『要求』情報を受信し（受信：ステップＳ３１２）、受信した送信要求情報から最適なパイロット信号の挿入間隔を計算したり、あるいは、その他の方法を利用したりすることによって、パイロット信号の挿入間隔を取得する（パイロット信号の挿入間隔取得：ステップＳ３１３）。そして、ＤＥＳＴ３０２は、送信要求情報に対する応答として、データの受信準備ができていることを示す受信準備完了情報（図９に示す『準備完了』）と共に、パイロット信号の挿入間隔に係る情報（図９に示す『挿入間隔』）を送信データとして、ＳＲＣ３０１に送信する（送信：ステップＳ３１４）。このステップＳ３１１〜ステップＳ３１４の処理は、第２の実施の形態のステップＳ２１１〜ステップＳ２１４の処理と同様である。
【００９０】
ＳＲＣ３０１は、受信準備完了情報及びパイロット信号の挿入間隔に係る情報を受信し（受信：ステップＳ３１５）、受信した受信準備完了情報及びパイロット信号の挿入間隔に係る情報から最適なパイロット信号の挿入間隔を計算したり、あるいは、その他の方法を利用したりすることによって、パイロット信号の挿入間隔を取得する（パイロット信号の挿入間隔取得：ステップＳ３１６）。
【００９１】
そして、ステップＳ３１５で受信したパイロット信号の挿入間隔（すなわち、ＤＥＳＴ３０２から通知されたパイロット信号の挿入間隔）、ステップＳ３１６で自ら取得したパイロット信号の挿入間隔の両方を参照して、パイロット信号の挿入間隔を決定し（パイロット信号の挿入間隔の決定：ステップＳ３１７）、そのパイロット挿入間隔に基づいて、送信データにパイロット信号を挿入して送信する（データ送信：ステップＳ３１８）。なお、ステップＳ３１８で送信されるデータは、図２（Ａ）又は（Ｂ）に示すように、パイロット信号の挿入間隔が定められたものである。
【００９２】
また、ステップＳ３１７におけるパイロット信号の挿入間隔の決定では、例えば、ステップＳ３１５及びステップＳ３１６で取得したパイロット信号の挿入間隔の平均を計算したり、ステップＳ３１５及びステップＳ３１６で取得したパイロット信号の挿入間隔のうち、パイロット信号の挿入間隔の長いほうを採用したりすることなどが可能であり、これによって、ＳＲＣ３０１及びＤＥＳＴ３０２の両方における取得結果を用いて、パイロット信号の挿入間隔を決定することが可能となる。
【００９３】
このようにして、無線通信システムを構成する２つの無線通信装置（ＳＲＣ３０１とＤＥＳＴ３０２）間で、ＳＲＣ３０１及びＤＥＳＴ３０２の両方におけるパイロット信号の挿入間隔の取得結果に従って、精度良くパイロット信号の挿入間隔を決定するという取り決めが成立し、こうして決定されたパイロット信号の挿入間隔に従って、図２（Ａ）又は（Ｂ）に示すフォーマットでデータ通信を行うことが可能となる。
【００９４】
また、これ以降のデータ通信は、最初にＳＲＣ３０１及びＤＥＳＴ３０２の両方の取得結果を用いて定められたパイロット信号の挿入間隔でパイロット信号の挿入を行うことも可能であるが、例えば、ＳＲＣ３０１やＤＥＳＴ３０２が移動しており、最適なパイロット信号の挿入間隔が時々刻々と変化することを考慮して、所定のデータ送信回数毎（例えば、各データ送信）に、ＳＲＣ３０１が、パイロット信号の挿入間隔を変えることが好ましい。
【００９５】
図１０は、本発明の第３の実施の形態の無線通信システムにおける各データ送信でパイロット信号の挿入間隔を可変にする処理及び伝送データを示すシーケンスチャートである。ＳＲＣ３０１からデータ送信が行われた場合（データ送信：ステップＳ３２１）、ＤＥＳＴ３０１は、ＳＲＣ３０１から受信したデータから最適なパイロット信号の挿入間隔を計算したり、あるいは、その他の方法を利用したりすることによって、パイロット信号の挿入間隔を取得する（パイロット信号の挿入間隔取得：ステップＳ３２２）。
【００９６】
そして、このＳＲＣ３０１からの送信データの受信の完了した場合（受信完了：ステップＳ３２３）、ＤＥＳＴ３０２は受信が正常に完了したことを示す受信確認情報（図１０に示す『確認』）と共に、パイロット信号の挿入間隔に係る情報（図１０に示す『挿入間隔』）を送信データとして、ＳＲＣ３０１に送信する（送信：ステップＳ３２４）。なお、上記では、ＤＥＳＴ３０２が、ＳＲＣ３０１から送られてくるデータの受信中にパイロット信号の挿入間隔の取得処理を行っているが、ＳＲＣ３０１からのデータの受信が完了した後、パイロット信号の挿入間隔の取得処理を行うことも可能である。
【００９７】
ＳＲＣ３０１は、受信確認情報及びパイロット信号の挿入間隔に係る情報を受信し（受信：ステップＳ３２５）、受信した受信確認情報から最適なパイロット信号の挿入間隔を計算したり、あるいは、その他の方法を利用したりすることによって、パイロット信号の挿入間隔を取得する（挿入間隔取得：ステップＳ３２６）。
【００９８】
そして、ステップＳ３２５で受信したパイロット信号の挿入間隔（すなわち、ＤＥＳＴ３０２から通知されたパイロット信号の挿入間隔）、ステップＳ３２６で自ら取得したパイロット信号の挿入間隔の両方を参照して、パイロット信号の挿入間隔を決定し（挿入間隔決定：ステップＳ３２７）、そのパイロット挿入間隔に基づいて、送信データにパイロット信号を挿入して送信する（データ送信：ステップＳ３２８）。
【００９９】
このようにして、データ送信毎に（すなわち、受信確認情報の受信に続けてデータ送信を行うタイミングで）、ＳＲＣ３０１は、自ら取得したパイロット信号の挿入間隔と、ＤＥＳＴ３０２から通知されたパイロット信号の挿入間隔とを利用して、通信に最適なパイロット信号の挿入間隔を決定し、こうして決定されたパイロット信号の挿入間隔を用いてデータ送信を行うことが可能となる。
【０１００】
＜第４の実施の形態＞
次に、本発明の第４の実施の形態について説明する。図１１は、本発明の第４の実施の形態の無線通信システムにおける統合処理型の処理及び伝送データを示すシーケンスチャートである。この図１１は、複数の無線通信装置（ＭＴ）４０１とアクセスポイント（ＡＰ）４０２とを有する無線通信システムのシーケンスチャートであり、２つの無線通信装置のそれぞれにおける処理と、２つの無線通信装置間で伝送される伝送データが図示されている。なお、図１１では、上から下に時間の経過が示されている。
【０１０１】
ＡＰ４０２は、複数のＭＴ４０１（図１１には２台のＭＴ４０１ａ、４０１ｂのみが図示されている）における通信を集中管理する無線通信装置であり、このＡＰ４０２は、図１に示す無線通信装置１００の内部構成を有している。まず、ＭＴ４０１ａが任意の情報をＡＰ４０２に対して送信した場合（送信：ステップＳ４１１）、ＡＰ４０２はこの任意の情報を受信し（受信：ステップＳ４１２）、パイロット信号の挿入間隔を計算して（挿入間隔計算：ステップＳ４１３）、その計算結果を所定の格納手段に格納する（格納：ステップＳ４１４）。
【０１０２】
また、ＭＴ４０１ｂが任意の情報をＡＰ４０２に対して送信した場合（送信：ステップＳ４１５）も同様にして、ＡＰ４０２はこの任意の情報を受信し（受信：ステップＳ４１６）、パイロット信号の挿入間隔を計算して（挿入間隔計算：ステップＳ４１７）、その計算結果を所定の格納手段に格納する（格納：ステップＳ４１８）。なお、ステップＳ４１１〜ステップＳ４１４及びステップＳ４１５〜Ｓ４１８の処理は、図５に示すステップＳ１３１〜ステップＳ１３４と同一である。
【０１０３】
このようにして、ＡＰ４０２が複数のＭＴ４０１に係るパイロット信号の挿入間隔を計算、格納し、ＡＰ４０２から各ＭＴ４０１へのデータ送信の際には、各ＭＴ４０１に最適なパイロット信号の挿入間隔を利用可能となるとともに、それぞれの各ＭＴ４０１からの要求に応じて、各ＭＴ４０１に対して、最適なパイロット信号の挿入間隔を通知することが可能となる。
【０１０４】
すなわち、例えば、図１１に示すように、ＭＴ４０１ｂが、ＡＰ４０２に対して送信要求情報（図１１に示す『送信要求』）と挿入間隔を要求するための情報（図１１に示す『挿入間隔要求』）とを送信した場合（ステップＳ４１９）、ＡＰ４０２は、送信要求情報と挿入間隔を要求するための情報とを受信し（ステップＳ４２０）、所定の格納手段からＭＴ４０１ｂに係る最適なパイロット信号の挿入間隔を読み出して（ステップＳ４２１）、受信準備完了情報（図１１に示す『準備完了』）と共に、このパイロット信号の挿入間隔（図１１に示す『挿入間隔』）を通知する（ステップＳ４２２）。ＭＴ４０１ｂは、パイロット信号の挿入間隔を受信し（ステップＳ４２３）、このパイロット信号の挿入間隔に基づいて、送信データにパイロット信号を挿入して送信する（データ送信：ステップＳ４２４）。
【０１０５】
また、ＭＴ４０１ａ、ＭＴ４０１ｂからパイロット信号の挿入間隔の要求を受けた場合、所定の格納手段に格納されているパイロット信号の挿入間隔が古い情報となってしまっているか否かを判断し、必要に応じて、パイロット信号の挿入間隔の再取得を行って、最新の情報を提供することも可能である。
【０１０６】
以上のように、無線通信システムにおいて、１台の無線通信装置（ＡＰ４０２）にパイロット信号を計算する機能を設け、このＡＰ４０２が、他の無線通信装置との通信におけるパイロット信号の挿入間隔に係る情報の計算、格納を行うことで、ＡＰ４０２との通信を行う複数のＭＴ４０１は、最適なパイロット信号の挿入間隔を用いてデータ送信を行うことが可能となる。
【０１０７】
また、上記では、ＡＰ４０２がパイロット信号の挿入間隔の計算を行っているが、各ＭＴ４０１がパイロット信号の挿入間隔の計算を行うようにすることも可能である。図１２は、本発明の第４の実施の形態の無線通信システムにおける分散処理型の処理及び伝送データを示すシーケンスチャートである。この図１２は、図１１と同様、複数の無線通信装置（ＭＴ）４０１とアクセスポイント（ＡＰ）４０２とを有する無線通信システムのシーケンスチャートであり、２つの無線通信装置のそれぞれにおける処理と、２つの無線通信装置間で伝送される伝送データが図示されている。なお、図１２では、上から下に時間の経過が示されている。また、複数のＭＴ４０１（図１２には２台のＭＴ４０１ａ、４０１ｂのみが図示されている）は、図１に示す無線通信装置１００の内部構成を有している。
【０１０８】
ＡＰ４０２は、所定の周期でビーコンを報知している（報知：ステップＳ４３１）。なお、このビーコンは、基地局のハードウェアアドレス、通信品質（信号強度、雑音レベル、信号品質など、様々な情報を含む信号である。ＡＰ４０２と通信可能な範囲に存在する全てのＭＴ４０１（ＡＰ４０２の通信セル内のＭＴ４０１）は、このビーコンを受信することが可能である（受信：ステップＳ４３２及びステップＳ４３５）。そして、各ＭＴ４０１は、このビーコンより伝送路状況を推測し、パイロット信号の挿入間隔を計算して（挿入間隔計算：ステップＳ４３３及びステップＳ４３６）、その計算結果を所定の格納手段に格納する（格納：ステップＳ４３４及びステップＳ４３７）。
【０１０９】
このようにして、各ＭＴ４０１は、ＡＰ４０２との通信において最適なパイロット信号の挿入間隔を計算、格納し、ＡＰ４０２との通信を行う際のパイロット信号の挿入間隔として、この最適なパイロット信号の挿入間隔を利用することが可能となる。
【０１１０】
すなわち、例えば、図１２に示すように、ＭＴ４０１ａやＭＴ４０１ｂが、ＡＰ４０２に対してデータ送信を行う場合、ＭＴ４０１ａやＭＴ４０１ｂは、所定の格納手段から最適なパイロット信号の挿入間隔を読み出し（読出し：ステップＳ４３８及びステップＳ４４０）、このパイロット信号の挿入間隔に基づいて、送信データにパイロット信号を挿入して送信する（データ送信：ステップＳ４３９及びステップＳ４４１）。また、ＭＴ４０１ａ、ＭＴ４０１ｂは、常に、最新のビーコンやＡＰ４０２からの受信データに基づいて、パイロット信号の挿入間隔を計算し、パイロット信号の挿入間隔を更新することが好ましい。
【０１１１】
以上のように、無線通信システムにおいて、複数の無線通信装置（ＭＴ４０１）にパイロット信号を計算する機能を設け、このＭＴ４０１が、ＡＰ４０２との通信におけるパイロット信号の挿入間隔に係る情報の計算、格納を行うことで、ＡＰ４０２との通信を行う複数のＭＴ４０１は、最適なパイロット信号の挿入間隔を用いてデータ送信を行うことが可能となる。また、特に、ＡＰ４０２が周期的に報知しているビーコンに基づいて、ＭＴ４０１が伝送路状況の推測を行うことによって、パイロット信号の挿入間隔を決定することが可能となるが、ビーコン以外の信号を用いて伝送路状況の推測を行ったり、新たに、ＡＰ４０２が伝送路状況を推測するための信号を送出し、この信号を用いてＭＴ４０１が伝送路状況の推測を行ったりすることも可能である。
【０１１２】
【発明の効果】
以上、説明したように、本発明によれば、送信側無線通信装置が、既知参照信号の挿入間隔を決定し、決定された既知参照信号の挿入間隔に基づいて、データに既知参照信号を挿入し、受信側無線通信装置に送信するので、送信側無線通信装置が、送信側無線通信装置から受信側無線通信装置にデータを送信する際に挿入される既知参照信号の挿入間隔を決定することが可能となり、この既知参照信号の挿入間隔による通信を行うことで、通信のスループットを向上することが可能となる。
【０１１３】
また、本発明によれば、受信側無線通信装置が、既知参照信号の挿入間隔を決定し、決定された既知参照信号の挿入間隔を送信側無線通信装置に対して通知するので、受信側無線通信装置が、送信側無線通信装置から受信側無線通信装置にデータを送信する際に挿入される既知参照信号の挿入間隔を決定することが可能となり、この既知参照信号の挿入間隔による通信を行うことで、通信のスループットを向上することが可能となる。
【図面の簡単な説明】
【図１】本発明の第１の実施の形態の無線通信システムの構成要素である無線通信装置の内部構成の一例を示すブロック図
【図２】本発明の第１の実施の形態の無線通信システムにおける伝送データのフォーマットを示す模式図
（Ａ）伝送データが所定の容量にパケット化（分割化）された場合の伝送データのフォーマットを示す模式図
（Ｂ）パケット化されず、一続きのデータとして送信される伝送データのフォーマットを示す模式図
【図３】本発明の第１の実施の形態の無線通信システムにおける処理及び伝送データを示すシーケンスチャート
【図４】本発明の第１の実施の形態の無線通信システムにおける各データ送信でパイロット信号の挿入間隔を可変にする処理及び伝送データを示すシーケンスチャート
【図５】本発明の第１の実施の形態の無線通信システムにおける任意の信号に基づいてパイロット信号の挿入間隔を可変にする処理及び伝送データを示すシーケンスチャート
【図６】本発明の第２の実施の形態の無線通信システムにおける処理及び伝送データを示すシーケンスチャート
【図７】本発明の第２の実施の形態の無線通信システムにおける各データ送信でパイロット信号の挿入間隔を可変にする処理及び伝送データを示すシーケンスチャート
【図８】本発明の第２の実施の形態の無線通信システムにおける任意の信号に基づいてパイロット信号の挿入間隔を可変にする処理及び伝送データを示すシーケンスチャート
【図９】本発明の第３の実施の形態の無線通信システムにおける処理及び伝送データを示すシーケンスチャート
【図１０】本発明の第３の実施の形態の無線通信システムにおける各データ送信でパイロット信号の挿入間隔を可変にする処理及び伝送データを示すシーケンスチャート
【図１１】本発明の第４の実施の形態の無線通信システムにおける統合処理型の処理及び伝送データを示すシーケンスチャート
【図１２】本発明の第４の実施の形態の無線通信システムにおける分散処理型の処理及び伝送データを示すシーケンスチャート
【符号の説明】
１  受信ＲＦ部
２  復調部
３  パイロット信号挿入間隔取得部
４  送信部
５  送信ＲＦ部
９  アンテナ
１００  無線通信装置
１０１、２０１、３０１  ＳＲＣ
１０２、２０２、３０２  ＤＥＳＴ
４０１、４０１ａ、４０１ｂ  ＭＴ
４０２  ＡＰ
【図１】
2004165830.tif 000003
【図２】
2004165830.tif 000004
【図３】
2004165830.tif 000005
【図４】
2004165830.tif 000006
【図５】
2004165830.tif 000007
【図６】
2004165830.tif 000008
【図７】
2004165830.tif 000009
【図８】
2004165830.tif 000010
【図９】
2004165830.tif 000011
【図１０】
2004165830.tif 000012
【図１１】
2004165830.tif 000013
【図１２】
2004165830.tif 000014